(57)【特許請求の範囲】
【請求項１】
ポスト型ピアス針径より僅かに大きい径であり、かつ、少なくとも当該ポスト型ピアス針の長さの半分以上から同じくらいの長さを有した多数の孔（３）を垂直状に設けたポスト型ピアス針保持台（４）と、フック針の湾曲形よりやや小さい上部が半円形状にして、かつ、フック型ピアスのフック針の湾曲部の高さ又はフープ型ピアスの内径より短い長さとした多数の溝（７）を垂直状に並列して成る帯状細体（８）とを、ピアス収容器へのピアス着脱時に、手指先に邪魔にならぬよう上記ポスト型ピアス針保持台（４）と帯状細体（８）とを互いに離すか若しくは段差を有して併設したことを特徴とするピアス収容器。
【請求項２】
ポスト型ピアス針保持台（４）を、硬質な厚板とした請求項１記載のピアス収容器。
【請求項３】
ポスト型ピアス針保持台（４）を、硬質な筒状体とした請求項１記載のピアス収容器。
【請求項４】
帯状細体（８）を、その溝（７）のない面である背面の下辺を円弧状部（１６）とすると共に、正面の溝（７）の下方を背面に向けてカーブ（１５）状とした請求項１乃至請求項３のいずれかに記載のピアス収容器。
【発明の詳細な説明】
【技術分野】
【０００１】  本発明は、市販されている一般的なピアスの形状に適合した収容箇所を設けたピアス収容器の改良に関するものである。
【背景技術】
【０００２】  一般に通称されている「ピアス」とは、耳たぶに孔を開けて付けるイヤリング、すなわちピアスド・イヤリングの略称である。
そして、このピアスには、耳への装着方法により大別して次のようなものがある。
すなわち、「ポスト型」と称して、一端に飾りの付いた直線状の針と、その針先に挿通するキャッチと称する止め具とでなるもの。
「フック型」と称して、一端が耳たぶの孔に通す湾曲部とし、その吊り下がる下方に飾りの付いたもの。
「フープ型」と呼ばれ、全体として輪状だが耳たぶ孔に通すために針状部として一部が開閉するもの。以上の３種類である。【０００３】  従来のピアス収容器への収納手順は、ポスト型では、一方の手の指先で耳から外したピアスの飾り部を持ち、従来の収容器における薄い板体に設けられた孔に針を挿入し、その挿通した針先に、薄い板体の裏側すなわち下方から、もう一方の手の指先で止め具であるキャッチを取着するのである。
この場合、針先がふらついてその取着が困難であったり、針を曲げてしまったり、キャッチを落下させたりして、必ずしも取着操作が容易だとは言えないという問題があった。
また、多種類のフック型及びフープ型ピアスの収容に及んでは、特に先願を調査してみても何も見当たらなかった。【０００４】  したがって、これという先行技術文献は見当たらないが、比較的この発明に近いものとして、円形の受け皿の中央部に指輪を挿通する円筒状の突起が立設され、受け皿の全周には延設された鍔縁にピアスのピンを挿通出来る透孔が略等間隔に連設されている発明の名称「装身具整理台」というものがある（例えば。特許文献１参照。）。
【特許文献１】  特開平１１−１０３９２４公報（
【００１６】、【００２０】）
【発明の開示】
【発明が解決しようとする課題】
【０００５】  しかしながら、上記の従来ケースにおいては、形状の異なる多種類のピアスを収容した場合、ピアスの針を挿通する鍔縁の透孔の厚さが薄いことから、挿通したピアスが傾きやすいために、隣のピアスの針先等が互いに交差して絡まるようになったり、見易さや、取着や整理には必ずしも容易でないという問題があった。【０００６】  また、ポスト型ピアスにおいて、ピアスの針を挿通する透孔の長さが短いと、使用後収容するピアスのキャッチを針の深奥部に挿入させ一体として透孔へ挿通保持させる場合、針部のみが透孔の下方から長く露出しているために、ふら付いて安定しないのである。
当然、透孔に挿入されたピアスは、その透孔の上に飾りとキャッチが重なって置かれ、透孔の下方には針部のみが露出していることとなるから、ピアスの重心が透孔の上にあることとなって安定しないのである。
このことは、ピアス収容器の場所の移動など、ちょっとした動揺でもピアスが透孔から脱落しやすいことを意味する。
したがって、ピアスの収容時にはどうしても、先ず針部を透孔に通してから下方に露出した針先にキャッチを再度取り付けねばならないという煩わしさがあったのである。【０００７】  フック型ピアスに於いては、フック針の形状は、ほぼ同様であるが、フックの湾曲形は様々であって、素材の硬軟により変形しやすいものもあり、互いに交差しやすかった。
この発明は、以上の諸欠点を解決して、多種類のピアスを一つの収容器に整然と、かつ容易に収容できるピアス収容器を提供しようとするものである。
【課題を解決するための手段】
【０００８】  本発明の基本的な構成は、ポスト型ピアス針径より僅かに大きい径で、かつ、少なくとも当該ポスト型ピアス針の長さの半分以上から同じくらいの長さを有した多数の孔３を垂直状に設けたポスト型ピアス針保持台４があること。
更に、フック針の湾曲形よりやや小さい上部が半円形状にて、かつ、フック型ピアスのフック針の湾曲部の高さ又はフープ型ピアスの内径よりも短い長さの多数の溝７を垂直状に並列して成る帯状細体８があり、この２つの部分が主要構成要素である。
そして、この２つの部分を、ピアス収容器へのピアス着脱時に、手指先に邪魔にならぬようポスト型ピアス針保持台４と帯状細体８とを互いに離すか若しくは段差を有して併設したことを特徴とするピアス収容器としたのである。【０００９】  上記において、収容器全体の形状については、ポスト型ピアス針保持台４と帯状細体８とが近寄り過ぎないよう配置に注意さえすれば特に限定することは何もなく、そのことによって本発明が限定されるものではない。
すなわち、ポスト型ピアス針保持台４自体が、単に平板でも、上面がやや湾曲した曲面であっても構わないし、孔３が垂直状にさえ穿孔されていればピアス収容器にてのポスト型ピアス針保持台４の配置は、水平でも傾斜させても構わない。
もっとも、孔３は完全に垂直である必要はなく、少しくらいは傾斜させても自然に孔３から脱落するようでなければ構わないことは十分に想像できるものと思う。【００１０】  同様に、多数の溝７を並列して成る帯状細体８自体も、多数の溝７が帯状細体８の長さ方向に対して垂直状に並列して設けられてさえいれば、収容するフック型ピアスが脱落せぬようピアス収容器の適所に水平に配置すればよいのである。
したがって、帯状細体８は、ピアス収容器全体の形状に相応しい形として、１本の横棒のように配置されていても、途中で曲折させても構わないことはいうまでもない。【００１１】  なお、ここで本発明の主要部の一つであるポスト型ピアス針保持台４について説明しておこう。すなわち、図４に２例示してあるように、本発明の目的の一つはピアス針の周囲をほぼその半分から全長に亘って保持するための孔３を有することにあるから、その孔３をその長さに亘って硬質な材料で保持体を形成させさえすればよいのである。
したがって、一般的には図４の左側に示すように、単なる木材等の厚板に多数の孔３を穿孔して得たものとなるだろう。すなわち、比較的安価に作成できるし、適度な重さと安定性があって好ましいものとするならば、これは重量感のあるものだといえる。【００１２】  他方、右側のものは当然、合成樹脂製となろうから、金型でこのように多数の孔３を筒状体として林立するように一体成型させて得ようとするものである。すなわち、この筒状体が木製の厚板の役割を果たすことになるのである。左側のものに比べて軽量となろう。
なお、２例示共一部に孔３の入り口に面取り１７を施したものを示したが、これが有るとポスト型ピアスの飾りが落着いて収まるから全ての孔３に施した方が好ましい。【００１３】  また、この発明の代表的な溝７の帯状細体８を図５に示した。すなわち、図示の右側が正面で左側が背面であり、細い鎖線で示したフック型ピアス１３を、その飾り１４を下方として溝７内に落とし入れると、フック型ピアス１３の重心が飾り１４の重さによって帯状細体８の真下に行こうとするから、溝７の側面側の形状は単に垂直でなく、図示したように溝７の下方を、溝７のない帯状細体８の背面側に向けてややカーブ１５するように削溝した方が吊り下げたフック型ピアス１３の形状にフィットして好ましいといえる。
なお、輪状であるフープ型ピアス兼用の場合のことを考慮すれば、図示のように左側の背面側の下方をも円弧状部１６としてカーブさせた方がよいといえよう。
【発明の効果】
【００１４】  この発明は、ポスト型ピアス針保持台４自体を、ピアス針径より僅かに大きい径とした孔３を有した上に、ピアス針と同じくらいの長い厚さとしたり、帯状細体８の溝７を、フック針の湾曲形より小さい上部の半円形状とし、かつ、フック型ピアスのフック針の湾曲部の高さ又はフープ型ピアスの内径より短い長さとしたことから、異なる形状多種のポスト型・フック型・フープ型ピアスであっても確りと保持し得て、それら一対のピアスが容易に並列、分別、整理等をすることができるようになった。
また、収容したピアスが互いに交差しなくなったので、絡まることなく収容し易く、見易さや、取着、選出が容易にできるようになったのである。【００１５】  すなわち、ポスト型ピアスにおいては、その収容時に使用後のキャッチを目先で針奥部に挿入して一体化してから針先を孔３へ落とし入れればよく、従来不便であった薄い板体の孔に針を挿通してから裏又は下方からキャッチを取着するようなことをしなくてもすむようになったし、ポスト型ピアス針と少なくとも半分以上から同じくらいの長さのポスト型ピアス針保持台４の孔３の存在により、孔３に挿入してからも針はふらつかず安定するから、挿入と取出が容易であり、また、キャッチを設置しない状態のピアスにおいても、孔３に挿入すれば針は安定して保持されるようになった。【００１６】  フック型及びフープ型ピアスのものについて、図１の全体が方形で両側面を傾斜させた容器１の実施例及び図５にて説明すると、変形しやすいフック型ピアス１３にも柔軟に対応できるようフック針の湾曲部よりやや小さく上部が半円形状の溝７を、多数並列してなる帯状細体８としたから、それらの溝７にフック型及びフープ型ピアスを並列して容易に掛けられるし、フック型ピアス１３同士の交差を防ぎ得るようになった。【００１７】  また、帯状細体８を、ポスト型ピアス針保持台４とは段差を有し、しかも離れた両側板５内面の上方部に固定したから、ピアス着脱操作時に手指先動作にも邪魔にならないで容易に出し入れができるようになった。
更に、底板６の後方にも間隔を設けたことで、形状の大きく長いフック型ピアス１３であっても、底板６や後板９への接触がないから、フック型ピアス１３自体の湾曲が防げるようになった。その上、底板６の前方に間隔を設けた箇所には大きいピアスや指輪等をも収容出来るなど数々の利点を有したピアス収容器とすることができるのである。
【発明を実施する為の最良の形態】
【００１８】  ピアスの収容時には、ポスト型ピアスは、基本的にそのキャッチを針奥部に設置してから並列して孔３に挿入し、フック型・フープ型においては、溝７を並列して成る帯状細体８の溝７に並列して掛けるのが最良の形態と考える。
したがって、一般的には図１に示したような全体を方形とし、その両側面の高さを、一端を高く他端を傾斜させた側板５面を設けた容器１とする。
そして、容器１の後方上部に開閉出来る蓋２を設置し、多数の孔３を設けたポスト型ピアス針と同じくらいの長い厚さのポスト型ピアス針保持台４を、底板６の前方と後方に間隔を有して固定させ、両側板５内面の上方部に多数の溝７が並列して成る帯状細体８を固定して成るピアス収容器とする。
【００１９】  加えて、形状や大きさの異なる多種類のピアスが収容できるように、ポスト型ピアス針保持台４の孔３を選択できるよう直径を異にした幾種類かの孔３を有するポスト型ピアス針保持台４としたり、帯状細体８の幅、すなわち、溝７の縦の長さも途中から異にするなど、多彩に利用できるようにするが好ましい。
更に、ポスト型ピアス針保持台４と帯状細体８を使用しやすいところに配置し得て、しかも指輪・宝石等の収納も兼用できる場所をも有し、防麈用の蓋２も設けたものが最も好ましいピアス収容器であるといえよう。
また、ピアス収容器そのものをちょっと触れただけでは動かぬように重量感のあるものとするならば、ポスト型ピアス針保持台４を木製の厚板とすればよいことは前述した。
【００２０】  ここで一般的な市販ピアスの大きさ等について簡単に述べておこう。先ず、ポスト型ピアスは金属製で、その針は直径０．８〜１ｍｍ、長さは８〜１０ｍｍ程であり、キャッチはシリコン製もあって厚さ２〜４ｍｍである。
フック型ピアス１３については、その全長に比較的大きな違いがあって、湾曲部と飾り１４の付いた方も同じくらいの長さのもの、湾曲部の長さよりも飾り１４の付いた方が長いもの、飾り１４の方が短くて湾曲部の下方が開いたものとの３種類がある。
【実施例１】
【００２１】  これら市販ピアスの大きさ等を考慮して、以下に本発明の実施例について各例を、実施例１から順を追って説明するが、符号の説明は外観・形は変わっても、機能が同一のものには同一の符号を用いてある。
先ず実施例１を図１に基づいて説明する。幅１４０ｍｍ、長さ１２０ｍｍの方形の底板６に、一端を２０ｍｍ、他端を９０ｍｍと傾斜させた２枚の側板５と、その底板６と側板５とに合致する大きさの後板９と前板１８とを用いて、この発明の主要部分を配置するための容器１とした。【００２２】  そして、２枚の側板５の上方部に、垂直に貫通した直径１．５ｍｍの孔３を、指先２本でのピアスの着脱操作性を考慮して１０ｍｍのほぼ均等間隔に多数設けた幅１３５ｍｍ、長さ５０ｍｍのピアス針と同じくらい長い厚さ１０ｍｍ程の木製としたポスト型ピアス針保持台４を配置した。なお、底板６の前方と後方には３０ｍｍ程の間隔を設けた。
また、以下の実施例共に各図において、孔３の入り口に面取り１７をしてないように描いてあるものが多いが、皿状の面取り１７が施されているものとして見て欲しい。
加えて後板９の上辺部に、幅１５０ｍｍ、長さ１４４ｍｍの片開閉出来る透明ガラス板付きの蓋２を設置した。【００２３】  帯状細体８は、全体として高さ７ｍｍ幅６ｍｍで、上面部は半径３ｍｍ程の半円形状に面取りして長さ１３５ｍｍとした。
そして、帯状細体８の上部より一方である正面側のみに、ポスト型よりも指先による着脱性に不便を感じないから、やや狭く５ｍｍのほぼ均等間隔に、幅２ｍｍ深さ１．５ｍｍの溝７を多数垂直状に並列して設けた。この帯状細体８を、側板５の上部より１０ｍｍ後方からは１０ｍｍの間隔を空けて固定する。
なお、容器１を含めて帯状細体８やポスト型ピアス針保持台４の材質は、木製の他に、アクリル等の合成樹脂製、金属製等何でも良く、また、表面を布や静電植毛等で被覆しても良いことはいうまでもない。
【実施例２】
【００２４】  実施例２として、図２に示すように、幅９０ｍｍ長さ１４５ｍｍの長方形なる受皿１０の長さ方向の後方に、１０ｍｍ程の間隔を空けて厚さ５ｍｍ長さ７０ｍｍ幅６０ｍｍの後板９を垂直に固定させた。そして、この後板９の上端に実施例１と同じような幅６０ｍｍ長さ１２８ｍｍの長方形からなるポスト型ピアス針保持台４の長さ方向の一端近傍を固定させ、４０度程傾斜して設けられるよう受皿１０の長さ方向の前方にその前辺を固定させたものとした。なお、上記の寸法だと受皿１０の前方に約１０ｍｍ幅の空所ができる。【００２５】  帯状細体８は、長さ９０ｍｍの実施例１の帯状細体８の左右に１０ｍｍの突出部１１を有したものとし、この突出部１１をポスト型ピアス針保持台４の一方の側面に固定する。
なお、図２における突出部１１は帯状細体８と一体化したものとして示した。
帯状細体８自体が傾斜して設置されることになるから、多数の溝７の存在は、帯状細体８に対して垂直でなく、好ましくは傾斜に合わせて受皿１０面に対して垂直になるよう削溝する方がよいだろう。それでも、傾斜角度が大きくなければ、フック型及びフープ型ピアスを掛けても、溝７内に配置するため下方に滑動する虞はない。【００２６】  図２では、帯状細体８をポスト型ピアス針保持台４の一方側面のみに設けたとしているが、反対側には溝７の幅や長さの異なるものを付加させるなど自由に設計すればよい。
そして、ポスト型ピアス針保持台４が傾斜しているからこそ、ポスト型ピアスの孔３との着脱がしやすくなるし、傾斜を設けたので見易い効果をも生ずるようになる。
更に、受皿１０の前方に大きいピアス等を配置出来る利便性を有している。
【実施例３】
【００２７】  実施例３として図３に示すように、直径１２０ｍｍの円形の受皿１０の中央部に、直径７０ｍｍ高さ８０ｍｍの円筒１２を固定し、円筒１２の上部に直径７０ｍｍの円形状の実施例１及び２と同様な多数の孔３を設けたポスト型ピアス針保持台４を設置する。
円筒１２周面上のポスト型ピアス針保持台４との接合部より１０ｍｍ下方に、左右対称に２体の帯状細体８が別々に設けられるよう突出部１１を固定した。【００２８】  夫々の突出部１１には多数の溝７が並列してなる半径４５ｍｍの半円形状に湾曲した帯状細体８が固定されている。
この実施例３においては、一方の帯状細体８を他方の帯状細体８よりも、帯状細体８の幅を狭く溝７の長さを短くして、短い方をフープ型ピアス専用とするなど、長さの異なるフック型ピアスを分けて収容できて便利である。
このように、帯状細体８に多数のフック型及びフープ型のピアスがより多く収容でき、受皿１０の円周内には大きいピアス等を配置できる。
【実施例４】
【００２９】  なお、図示省略したが、多少ふらつきやすいだろうが帯状細体８の溝７に代って帯状細体８の上部に、半径２ｍｍ程の半円球状の突起を５ｍｍのほぼ均等間隔に並列して設けても良く、これを一体成形で得るようにしても良い。
また、帯状細体８は、ピアス収容器の上部だけに限定せず、下方に配置しても良いし、一体成形で設置しても良く、突起は三角形、四角形、多角形でも良い。【００３０】  多数の孔３を設けたポスト型ピアス針保持台４の平面形状は、方形、円形に限定せず、ハート型、ひし形、多角形でも良く、自由に形成されても良いことは前述した。
図３に示した円筒１２は、円筒形に限定せず、ポスト型ピアス針保持台４の平面形状に好ましい形状にしても良く、上部から円錐状に傾斜を設けたものとしても良い。
これら形状を変える事で、楽しさや美しさ等の意匠上の効果を増すことができよう。
【産業上の利用可能性】
【００３２】  ピアスはアクセサリーの一種であり、多数の形状の異なるピアスの整理、収容はインテリア的要素が多々有るから、収容したピアスがその侭見えるように収容器を構成すればその侭、室内や商品陳列用のディスプレーにもなる。
【図面の簡単な説明】
【００３３】
【図１】  この発明の実施例を示す斜視図である。（実施例１）
【図２】  この発明の他の実施例を示す斜視図である。（実施例２）
【図３】  この発明の更に他の実施例を示す斜視図である。（実施例３）
【図４】  この発明の実施例で、ポスト型ピアス針保持台の代表的な２例を、一部を断裁して示した斜視図である。
【図５】  この発明の実施例で、代表的な帯状細体を、その溝の部分において断裁した側面図である。
【符号の説明】
【００３４】１    容器
２    蓋
３    孔
４    ポスト型ピアス針保持台
５    側板
６    底板
７    溝
８    帯状細体
９    後板
１０  受皿
１１  突出部
１２  円筒
１３  フック型ピアス
１４  飾り
１５  カーブ
１６  円弧状部
１７  面取り
１８  前板
【要約】
【目的】  多種類の大小様々な形状の異なるポスト型・フック型・フープ型のピアスを整理、収容出来、見易さや取着や選出も容易であるピアス収容器。
【構成】  ピアス針径より僅かに大きい径であり、かつ、少なくとも当該ポスト型ピアス針の長さの半分以上から同じくらいの長さを有した多数の孔３を設けたポスト型ピアス針保持台４に、ポスト型ピアスのキャッチを針奥部に設置して孔３に挿入し、フック針の湾曲形よりやや小さい上部が半円形状で、かつ、フック型ピアスのフック針の湾曲部の高さ又はフープ型ピアスの内径より短い長さとした多数の溝７を並列にして成る帯状細体８の溝７に、フック型及びフープ型ピアスを掛け、大きい形状や形状の異なる多種類ピアスの収容箇所を併設したピアス収容器とした。
【選択図】      図１【図１】
0003637417.tif 000002
【図２】
0003637417.tif 000003
【図３】
0003637417.tif 000004
【図４】
0003637417.tif 000005
【図５】
0003637417.tif 000006